(57)【要約】【課題】自然の植物の一部を使用することで、豪華で目立ち、しかも美しい装飾性を有する身飾品を提供する。【解決手段】身飾品は、保持部を有し、保持部に、造花を取り付けた。造花を、接着剤または取付部材により保持部に取り付けた。保持部には、装飾が施されて飾りになっている。造花は、取付基部を有し、取付基部を、保持部に取り付けた。造花は、プリザーブドフラワー、ドライフラワー、フリーズドライフラワー、押し花の何れかである。【選択図】図１
0003149178.tif 000002
【実用新案登録請求の範囲】
【請求項１】
保持部を有し、
前記保持部に、水分を除去された造花を取り付けたことを特徴とする身飾品。
【請求項２】
前記造花を、接着剤または取付部材により前記保持部に取り付けたことを特徴とする請求項１に記載の身飾品。
【請求項３】
前記保持部は、装飾が施されて飾りになっていることを特徴とする請求項１または請求項２に記載の身飾品。
【請求項４】
前記造花は、取付基部を有し、
前記取付基部を、前記保持部に取り付けたことを特徴とする請求項１乃至請求項３のいずれか１項に記載の身飾品。
【請求項５】
前記造花は、プリザーブドフラワー、ドライフラワー、フリーズドライフラワー、押し花の何れかであることを特徴とする請求項１乃至請求項４のいずれか１項に記載の身飾品。
【考案の詳細な説明】
【技術分野】
【０００１】
この考案は、ブローチ、指輪、イアリング、ピアス、ペンダント、ネックレスその他全ての身飾品に関する。
【背景技術】
【０００２】
従来から美しい装飾を施したブローチ、指輪、イアリング、ピアス、ペンダント、ネックレス等は、各種のものが出回っている。例えば、身飾品の表面等の仕上げの全て又は一部に、チェーンそのものを利用し、又はチェーンそのものに対し自在な形状に変化を与えることにより、アクセサリとしての魅力を高めるものがある（特許文献１）。また、各種身飾品と、付随的な身飾品であるチャームとの組合せを楽しむことができるものがある（特許文献２）。
【特許文献１】特開２００１−２０４５２３号
【特許文献２】特開２０００−２７９２２０号
【考案の開示】
【考案が解決しようとする課題】
【０００３】
このように、身飾品には、種々の魅力を高めることが行なわれているが、例えば、結婚の披露宴、ファッションショー、その他各種のイベント等で身に着ける身飾品、あるいは特に若者が身に着ける身飾品には、より豪華で目立つものが要求されている。
【０００４】
また、身飾品は、例えば工房や趣味の講座などで種々の個性を有するように作成されることがあるが、従来では金属製品と、宝石やその模造品などの組み合わせであるが、さらに自然の植物の一部を使用すると、優れたものを製作することができる。
【０００５】
この考案は、かかる実情に鑑みてなされたもので、自然の植物の一部を使用することで、豪華で目立ち、しかも創作性や個性があり、かつ美しい装飾性を有する身飾品を提供することを目的としている。
【課題を解決するための手段】
【０００６】
前記課題を解決し、かつ目的を達成するために、この考案は、以下のように構成した。
【０００７】
請求項１に記載の考案は、保持部を有し、前記保持部に、水分を除去された造花を取り付けたことを特徴とする身飾品である。
【０００８】
請求項２に記載の考案は、前記造花を、接着剤または取付部材により前記保持部に取り付けたことを特徴とする請求項１に記載の身飾品である。
【０００９】
請求項３に記載の考案は、前記保持部は、装飾が施されて飾りになっていることを特徴とする請求項１または請求項２に記載の身飾品である。
【００１０】
請求項４に記載の考案は、前記造花は、取付基部を有し、前記取付基部を、前記保持部に取り付けたことを特徴とする請求項１乃至請求項３のいずれか１項に記載の身飾品である。
【００１１】
請求項５に記載の考案は、前記造花は、プリザーブドフラワー、ドライフラワー、フリーズドライフラワー、押し花の何れかであることを特徴とする請求項１乃至請求項４のいずれか１項に記載の身飾品である。
【考案の効果】
【００１２】
前記構成により、この発明は、以下のような効果を有する。
【００１３】
請求項１に記載の考案では、身飾品が水分を除去された造花との組み合わせによって、自然の植物の一部を使用することで、豪華で目立ち、しかも創作性や個性があり、かつ美しい装飾性を有し、また工房や趣味の講座などで製作することができる。
【００１４】
請求項２に記載の考案では、造花を、接着剤または取付部材により身飾品の任意の位置に、簡単かつ確実に取り付けることができる。
【００１５】
請求項３に記載の考案では、身飾品の保持部が飾りになっている。
【００１６】
請求項４に記載の考案では、造花の取付基部によって、身飾品に確実に取り付けることができる。
【００１７】
請求項５に記載の考案では、造花は、プリザーブドフラワー、ドライフラワー、フリーズドライフラワー、押し花の何れかであり、これらを身飾品の種類や使用目的に応じて使用することができる。
【考案を実施するための最良の形態】
【００１８】
以下、この考案の身飾品の実施の形態について説明する。この考案の実施の形態は、考案の最も好ましい形態を示すものであり、この考案はこれに限定されない。
【００１９】
この考案は、ブローチ、指輪、イアリング、ピアス、ペンダント、ネックレスその他全ての身飾品に適用できる。身飾品は、保持部を有し、保持部に、水分を除去された造花を取り付けたものである。
【００２０】
水分を除去された造花は、プリザーブドフラワー、ドライフラワー、フリーズドライフラワー、押し花の何れかであり、これらは身飾品の種類や使用目的に応じて使用される。
【００２１】
プリザーブドフラワーは、生花を原料に、その内部の水分を除去しつつ、人工色素（着色剤）やグリセリン系の有機溶剤を混ぜた薬剤を生花自身の力で数時間から数日間かけて吸い上げさせることにより製造したものである。そのため、プリザーブドフラワーは、生花の水分が有機溶剤を混ぜた薬剤に置換えられるため、枯れたり、腐ったり、変色したり、硬化することなく、長期間（２〜３年）にわたって生花と同様の美しさやソフトな感触が維持されるようになっている。
【００２２】
フリーズドライフラワーは、真空の雰囲気で生花を略マイナス３０度で一瞬にして凍結させて、その後、高温にならないように熱を供給しながら７〜１０日間かけて水分を昇華させて除去したものである。そのため、フリーズドライフラワーでは、色彩や形状が生花のように鮮やかであり、通常のドライフラワーとは全く異なる態様に形成される。自然乾燥したドライフラワーも独自の色彩を有するため、この色彩を生かすこともできる。プリザーブドフラワー、ドライフラワーや、フリーズドライフラワー、押し花では、水分が失われることで、花弁が脆くなるが、例えば、コーティング処理により強度を増すことができ、容易に破損しにくくなる。
［第１の実施の形態］
第１の実施の形態は、ブローチに適用したものである。図１は造花を取り付けた状態のブローチの斜視図、図２は造花を取り付けない状態のブローチの斜視図、図３はブローチに取り付ける前の造花の斜視図である。
【００２３】
ブローチ１は、金属で成形され、中央部に平坦な楕円形の保持部１ａを有し、この保持部１ａの外周に装飾部１ｂが成形されている。このように、保持部１ａには、装飾部１ｂによって装飾が施され、飾りになっている。
【００２４】
保持部１ａの表面側には、造花２が取り付けられ、裏面側には、ドレス等に取り付ける止め具３が設けられている。
【００２５】
水分を除去された造花２は、この実施の形態では、２個設けているが、１個でも３個以上でも良い。また、造花２とする花の種類はバラとしているが、花の種類も特に限定されない。この造花２は、取付基部２ａを有し、この取付基部２ａを、ブローチ１の保持部１ａに取り付ける。造花２は、取付基部２ａによって、ブローチ１の保持部１ａに確実に取り付けることができる。
【００２６】
この実施の形態では、造花２の取付基部２ａに接着剤４を着け、この接着剤４によりブローチ１の保持部１ａに取り付けているが、金具、線材などの取付部材によって取り付けてもよく、接着剤または取付部材により簡単かつ確実に取り付けることができる。
【００２７】
また、造花２には、宝石の模造品の装飾品５を取り付けており、造花２は装飾品５によって装飾が施されている。
【００２８】
このように、ブローチ１は造花２との組み合わせ、自然の植物の一部を使用することで、豪華で目立ち、しかも創作性や個性があり、かつ美しい装飾性を有し、工房や趣味の講座などで製作することができる。
［第２の実施の形態］
第２の実施の形態は、指輪に適用したものである。図４は造花を取り付けた状態の指輪の斜視図、図５は造花を取り付けない状態の指輪の斜視図、図６は指輪に取り付ける前の造花の斜視図である。
【００２９】
指輪１１は、指に挿入されるリング１１ａが金属で成形され、このリング１１ａに金属で成形された円盤状の基部１１ｂが固定されている。この基部１１ｂには、同様に金属で成形された保持部１１ｃが固定され、保持部１１ｃの外周には、装飾部１１ｄが成形されている。この装飾部１１ｄは、花弁状になっており、保持部１１ｃは、装飾部１１ｄによって装飾が施されて飾りになっている。さらに、装飾部１１ｄには、宝石の模造品の装飾品１５等の飾りを設けている。
【００３０】
保持部１１ｃの表面側には、水分を除去された造花１２が取り付けられ、造花１２は、この実施の形態では、１個設けているが、複数個でも良い。また、造花１２とする花の種類はバラとしているが、花の種類も特に限定されない。この造花１２は、取付基部１２ａを有し、この取付基部１２ａを、指輪１１の保持部１１ｃに取り付ける。造花１２は、取付基部１２ａによって、指輪１１の保持部１１ｃに確実に取り付けることができる。
【００３１】
この実施の形態では、造花１２の取付基部１２ａに接着剤１４を着け、この接着剤１４により指輪１１の保持部１１ｃに取り付けているが、金具、線材などの取付部材によって取り付けてもよく、接着剤または取付部材により簡単かつ確実に取り付けることができる。
【００３２】
このように、指輪１１は造花１２との組み合わせ、自然の植物の一部を使用することで、豪華で目立ち、しかも創作性や個性があり、かつ美しい装飾性を有し、工房や趣味の講座などで製作することができる。
【００３３】
［第３の実施の形態］
第３の実施の形態は、イアリングに適用したものである。図７は造花を取り付けた状態のイアリングの斜視図、図８は造花を取り付けない状態のイアリングの斜視図、図９はイアリングに取り付ける前の造花の斜視図である。
【００３４】
イアリング２１は、それぞれネジを用いて保持する形式のイアリングの実施の形態（左右１組の一方）を示すものである。このイアリング２１は、Ｕ字状の対接部２１ａにねじ２１ｂを設けており、対接部２１ａを耳たぶに挿入し、ねじ２１ｂを用いて挟持する。
【００３５】
対接部２１ａには、真珠その他の装飾品２１ｃ１を有する飾り２１ｃが取り付けられている。装飾品２１ｃ１としては、宝石やその模造品などであっても良いし、鎖等でも良い。
【００３６】
イアリング２１の飾り２１ｃには、金属で成形された保持部２１ｄが２箇所に固定され、それぞれの保持部２１ｄには、装飾部２１ｅが一体に成形されている。この装飾部２１ｅは、花弁状になっており、保持部２１ｄは、装飾部２１ｅによって装飾が施されて飾りになっている。
【００３７】
それぞれの保持部２１ｄの表面側に、水分を除去された造花２２が取り付けられ、造花２２は、この実施の形態では、開いた花と、つぼみの花との２個設けているが、１個でも複数個でも良い。また、造花２２とする花の種類も特に限定されない。この造花２２は、取付基部２２ａを有し、この取付基部２２ａを、イアリング２１の保持部２１ｄに取り付ける。造花２２は、取付基部２２ａによって、イアリング２１の保持部２１ｄに確実に取り付けることができる。
【００３８】
この実施の形態では、造花２２の取付基部２２ａに接着剤２４を着け、この接着剤２４によりイアリング２１の保持部２１ｄに取り付けているが、金具、線材などの取付部材によって取り付けてもよく、接着剤または取付部材により簡単かつ確実に取り付けることができる。
【００３９】
このように、身飾品としてのイアリング２１は造花２２との組み合わせ、自然の植物の一部を使用することで、豪華で目立ち、しかも創作性や個性があり、かつ美しい装飾性を有し、工房や趣味の講座などで製作することができる。
【産業上の利用可能性】
【００４０】
この発明は、ブローチ、指輪、イアリング、ピアス、ペンダント、ネックレスその他全ての身飾品に適用可能であり、自然の植物の一部を使用することで、豪華で目立ち、しかも創作性や個性があり、かつ美しい装飾性を有する。
【図面の簡単な説明】
【００４１】
【図１】造花を取り付けた状態のブローチの斜視図である。
【図２】造花を取り付けない状態のブローチの斜視図である。
【図３】ブローチに取り付ける前の造花の斜視図である。
【図４】造花を取り付けた状態の指輪の斜視図である。
【図５】造花を取り付けない状態の指輪の斜視図である。
【図６】指輪に取り付ける前の造花の斜視図である。
【図７】造花を取り付けた状態のイアリングの斜視図である。
【図８】造花を取り付けない状態のイアリングの斜視図である。
【図９】イアリングに取り付ける前の造花の斜視図である。
【符号の説明】
【００４２】
１  ブローチ
１ａ  保持部
１ｂ  装飾部
２  造花
２ａ  取付基部
３  止め具
４  接着剤
５  装飾品
１１  指輪
１１ａ  リング
１１ｂ  基部
１１ｃ  保持部
１１ｄ  装飾部
１２  造花
１２ａ  取付基部
１４  接着剤
１５装飾品
２１  イアリング
２１ａ  対接部
２１ｂ  ねじ
２１ｃ  飾り
２１ｃ１装飾品
２１ｅ  装飾部
２１ｄ  保持部
２２造花
２２ａ取付基部
２４  接着剤
【図１】
0003149178.tif 000003
【図２】
0003149178.tif 000004
【図３】
0003149178.tif 000005
【図４】
0003149178.tif 000006
【図５】
0003149178.tif 000007
【図６】
0003149178.tif 000008
【図７】
0003149178.tif 000009
【図８】
0003149178.tif 000010
【図９】
0003149178.tif 000011